(57)【要約】【課題】優れた携帯性および経済性を併有し、収容の場合にカードの緊密な挟持固定ができ、使用の場合に簡易に取出すことができるカード入れ及びそれを備えたバックを提供する。【解決手段】第一の層である下面層３と、下面層３の上面に重なるように配された、第二の層である上面層４とからカード入れ１００を構成する。上面層４の主面には、所定の間隔毎に配された３本のスリット４１を延伸して形成する。ここで当該３本のスリット４１は、互いに隣接するスリット同士において、その始終端を階段状に左右にずらして形成する。  当該層３、４は、上辺を除く周縁を袋様に縫合することで、カード収容空間５を確保する。【選択図】図５
0003114626.tif 000002
【実用新案登録請求の範囲】
【請求項１】
第一層と第二層とを積層して、互いの間にカード収納部を形成してなるカード入れであって、
第一層及び第二層の少なくともいずれかの主面には、前記カード収納部と連通するカード挿入用の複数のスリットが、間隔をおいて略平行に形成され、
且つ、隣接するスリット同士の各始終端が互いにずれるように配設されている
ことを特徴とするカード入れ。
【請求項２】
前記複数のスリットの各始終端は、隣接するスリット同士の間で同一方向に互いに階段状にずれるように配設されている
ことを特徴とするカード入れ。
【請求項３】
前記主面は矩形状であり、
前記各スリットは、前記矩形状主面の各辺に対して傾斜するように設けられている
ことを特徴とする請求項２に記載のカード入れ。
【請求項４】
前記主面には、前記スリットのいずれかにカードを入れた際に、当該カードを外部に一部露出させるための開口部が設けられている
ことを特徴とする請求項１〜３のいずれかに記載のカード入れ。
【請求項５】
前記開口部は、各スリット毎に対応して設けられている
ことを特徴とする請求項４に記載のカード入れ。
【請求項６】
請求項１〜５のいずれかに記載のカード入れを備える
ことを特徴とするカード入れ付きバッグ。
【考案の詳細な説明】
【技術分野】
【０００１】
本考案は、カード入れ及びこれを備えたバッグに関し、特に、収容の場合にカードの固定が確実に行え、且つ使用の際にカードの取り出しが容易に行えるカード入れ及びこれを備えたバッグに関する。
【背景技術】
【０００２】
従来のカード入れとしては、図１に示すように、財布と共に形成されたものがある（以下、第一の種類と略称）。図２は、図１のＸ−Ｘ‘線断面図を示す。図１、２に示されるように、第一の種類のカード入れは、折畳み可能な財布の裏面層の左右にそれぞれ複数の仕切り地１１を上下互いに重ね、且つ、カード１０を入れるための収容口１２が階段状になるように配置固定してなるものである。
【０００３】
また、このほかに図３に示すような第二の種類のカード入れも存在する。図４は、図３のＹ−Ｙ‘線断面図を示す。当該第二の種類のカード入れも折畳み可能な方式であるが、財布機能は無くカード入れ専用のものであって、カード入れの表面層の裏面に左右対称に裏面層が設けてあり、当該裏面層にそれぞれ複数のスリットセット２１が形成されている。そして前記各スリットセット２１は、カード２０の下端の両端部を収容できる一対の左右対称なスリット２１１とカード２０の上端側の中間部を収容できる半円形のスリット２１２とからなっている。
【特許文献１】特開２００２−２３８６２８号公報
【特許文献２】実公平７−５０９７０号公報
【考案の開示】
【考案が解決しようとする課題】
【０００４】
しかしながら、前記の従来のカード入れでは、いずれもカード収容機能は達成されるが以下の問題がある。
すなわち、第一の種類のカード入れでは、仕切り地１１を設けるために材料が多く使用され、コスト上昇の問題がある。また、多量の材料を用いた結果、使用時に折り畳んだ場合、カード入れ全体が厚くなってしまい、挿入したカード１０が上下に重なった他のカードにきつく挟まれ、カードの上端部のみを摘んで取り出す際の操作性が悪くなる。
【０００５】
一方、第二の種類のカード入れにおいても、比較的大量の材料を用いて構成されるためコスト上昇の問題が存在する。また、カードの挿入間隔が広いため、カード入れ全体の大きさがかさばってしまい、携帯性に劣る問題もある。さらに図３に示される半円形のスリット２１２がカード２０を挟持して固定する構成であるため、いったんカード２０を挿入してしまうと、これを迅速に取り出すことが煩わしくなり、取り出しに手間が掛かる。これに対して半円形のスリット２１２を設けなければ、カード２０を確実に挟持する手段が無くなり、使用時に紛失するといった重大な問題も生じうる。
【０００６】
このように、従来のカード入れの構造に関しては改善すべき余地が存在する。
そこで本考案は上記課題に鑑みてなされたものであって、優れた携帯性および経済性を併有し、収容の場合にカードの緊密な挟持固定ができ、使用の場合に簡易に取り出すことができるカード入れ及びこれを備えたバッグを提供することを目的とする。
【課題を解決するための手段】
【０００７】
上記目的を達成するために、本考案は、第一層と第二層とを積層して、互いの間にカード収納部を形成してなるカード入れであって、第一層及び第二層の少なくともいずれかの主面には、前記カード収納部と連通するカード挿入用の複数のスリットが、間隔をおいて略平行に形成され、且つ、隣接するスリット同士の各始終端が互いにずれるように配設されているものとした。
【０００８】
ここで前記複数のスリットの各始終端は、隣接するスリット同士の間で同一方向に互いに階段状にずれるように配設されているものとすることもできる。
また前記主面は矩形状であり、前記各スリットは、前記矩形状主面の各辺に対して傾斜するように設けられているものとすることもできる。
さらに前記主面には、前記スリットのいずれかにカードを入れた際に、当該カードを外部に一部露出させるための開口部が設けられているものとすることもできる。
【０００９】
また、前記開口部は、各スリット毎に対応して設けられているものとすることもできる。
さらに本考案は、上記カード入れを備えることを特徴とするカード入れ付きバッグとした。
【考案の効果】
【００１０】
上記構成を有することによって、本考案のカード入れは、全体の厚さも面積も小さくて優れた携帯性が発揮される。また、材料が少なくてすむことから材料のコストも低く抑えられる。
さらにカードの収容が確実でありながら、複数のカードを収納した際にも各カードが完全に重ならないため、ユーザが指で各カードを容易に摘むことが可能であって、優れた操作性が奏されるという効果も奏される。
【考案を実施するための最良の形態】
【００１１】
以下、図面を参照しながら，本考案に係る各実施の形態を説明する。
＜実施の形態１＞
図５〜図７は、本考案の実施の形態１におけるカード入れ１００の構成を示す図である。図５は正面図、図６は図５のＺ−Ｚ‘線に沿った断面図を示す。また図７は、カード６を挿入した使用時における断面図である。
【００１２】
この図５及び図６に示すように、カード入れ１００は、第一の層である下面層３と、下面層３の上面に重なるように配された、第二の層である上面層４とからなっている。当該層３、４は、全体的には略長方形状の材料で構成される。
上面層４の主面には、所定の間隔を置いて配された３本のスリット４１が形成されている。当該３本のスリット４１は、互いに隣接するスリット同士において、その始終端が階段状に左右にずれて形成される。各スリット４１の始終端には、使用時において裂け目が生成するのを防止するための円孔部４２が形成されている。
【００１３】
そして当該層３、４は、図５に示す如く、下面層３と、上面層４とを、上辺を除く周縁を袋様に縫合される。これにより下面層３と上面層４の間には、カード収容空間５が形成されている。
以上の構成を持つカード入れ１００によれば、上面層４に設けられた各スリットを介して各カード６が直接収納部５に収納される（図７を参照）ため、本カード入れ１００を構成するための材料が、前記第一及び第二の種類のカード入れに対して飛躍的に節減することが可能となり、材料コストの低減効果が奏される。
【００１４】
またカード入れ１００は、カード６を一端縁でそれぞれスリット４１からカード収容空間５内に順に挿入して収容する構成のため、使用時には図７に示す如く、各カード６が上下互いに重なり、当該重なりによる摩擦によって収容性が確実となる。
スリット４１から露出した各カード６の他端縁は、互いに完全に重なることなくずれており、しかもカード同士の間隙があるので、比較的簡易にカードを取出すことができる。またカード入れ１００自体を小さく作成することが可能となるため、優れた携帯性も備える。
【００１５】
なお、本実施の形態１では、３つのスリット４１を設ける構成例を示したが、本考案はこれに限定されるものではなく、これ以外のスリット数であってもよい。
また、スリット４１は、矩形状の上面層の辺に対して傾斜する形状に限らず、前記辺と平行に配された構成であってもよい。また、スリット４１は上面層及び下面層の少なくともいずれかに設ければよい。
＜実施の形態２＞
図８及び図９は、本考案の実施の形態２におけるカード入れ１００の構成を示す図である。
【００１６】
実施の形態１との違いは、各スリット４１の真下に対応する位置（図８ではスリット４１の左端近く）において、カード収納部５と連通する開口部４３が設けられた点にある。当該開口部４３は、スリット４１に挿入されたカード６を外部より指で触れるようになっている。なお、開口部４３はスリット４１の延伸方向に沿った形状をしており、各スリット４１に挿入されたカード６をすべて指で触れることができるようになっている。
【００１７】
以上の構成を持つ実施の形態２によれば、使用時には実施の形態１と同様の効果が奏されるほか、図９に示すように、ユーザが開口部４３を通して親指等でカード６をスライドするように押圧することで、各カード６を片手でもスリット４１から簡易に取り出すことができるというメリットが奏される。これにより、例えば迅速な取り出しが要求される状況等において、優れた操作性の向上が図られることとなる。
＜実施の形態３＞
図１０は、本考案の実施の形態３におけるカード入れ１００の構成を示す図である。
【００１８】
実施の形態２では、各スリット４１に共通した開口部４３を設ける構成を示したが、本実施の形態３では、各スリット４１に対応して別個開口部４３を設けた点に特徴を有する。
このような構成によっても、実施の形態２とほぼ同様の効果が奏されるほか、各スリット４１に個別に設けられた開口部４３からカード６を操作することで、取り出すべきカード６の種類を間違えることなく正確且つ迅速にこれを取り出すことが可能となるといったメリットがある。
＜実施の形態４＞
図１１は、本考案の実施の形態４におけるカード入れ１００の構成を示す図である。本実施の形態４は、実施の形態２で説明したカード入れをバッグに応用した構成である。すなわち、図１１に示すように、バッグ７の正面部分において、複数のカード入れ部分１００（当図１１ｃでは二カ所）が形成されている。これらの機能は実施の形態２とほぼ同様である。また、当該カード入れ部分１００は、バッグ７の蓋が閉じられることで外部より保護されるようになっている。
【００１９】
以上の構成を持つ本実施の形態４のバッグ７によれば、実施の形態２の効果をそのままバッグでも発揮することができ、材料コストの削減、操作性の向上等の効果が奏される。また、本考案に係るカード入れ部分１００は従来に比べて材料の削減を図ることで厚みが薄くなっているため、バッグ全体としてもスリムな形態を維持することができ、優れた機能特性を有するバッグを製造することが可能である。
【産業上の利用可能性】
【００２０】
本考案は、定期券入れやクレジットカード入れ等に利用でき、また、このようなカード入れを部分的に備えるバッグに利用することが可能である。
【図面の簡単な説明】
【００２１】
【図１】従来のカード入れ（第一の種類）の構成を示す斜視図である。
【図２】従来のカード入れ（第一の種類）の断面図である。
【図３】従来のカード入れ（第二の種類）の構成を示す斜視図である。
【図４】従来のカード入れ（第二の種類）の断面図である。
【図５】本考案の実施の形態１におけるカード入れの構成を示す図である。
【図６】本考案の実施の形態１におけるカード入れの構成を示す断面図である。
【図７】本考案の実施の形態１におけるカード入れの使用時の様子を示す断面図である。
【図８】本考案の実施の形態２におけるカード入れの構成を示す図である。
【図９】本考案の実施の形態２におけるカード入れの使用時の様子を示す断面図である。
【図１０】本考案の実施の形態３におけるカード入れの構成を示す図である。
【図１１】本考案の実施の形態４におけるカード入れを備えたバッグの構成を示す図である。
【符号の説明】
【００２２】
３       下面層
４       上面層
５       カード収容空間
６       カード
７       バッグ
４１     スリット
４２     円孔部
４３     開口
１００   カード入れ
【図１】
0003114626.tif 000003
【図２】
0003114626.tif 000004
【図３】
0003114626.tif 000005
【図４】
0003114626.tif 000006
【図５】
0003114626.tif 000007
【図６】
0003114626.tif 000008
【図７】
0003114626.tif 000009
【図８】
0003114626.tif 000010
【図９】
0003114626.tif 000011
【図１０】
0003114626.tif 000012
【図１１】
0003114626.tif 000013